(57)【要約】【課題】立ち消え検出用の炎口の加工を容易にする。【解決手段】内部に形成されたガス通路Ｐ１を通じて供給されるガスを燃焼させることにより加熱対象物を加熱するガスバーナ本体３０と、前記ガスバーナ本体３０の立ち消えを検出するためのサーモカップル７０と、前記ガスバーナ本体３０に取り付けられると共に、立ち消え検出用の炎口６３から前記ガスバーナ本体側から分岐したガスを噴出して前記サーモカップル７０を加熱する補助ガスバーナ６１と、前記サーモカップル７０の非加熱状態に対応して前記ガスバーナ本体３０に対するガスの供給を遮断する電磁式の安全弁を備えたガスコック装置８０とを備え、前記補助ガスバーナ６１を前記ガスバーナ本体３０とは別部材とした。【選択図】図５
2013079750.tif 000002
【特許請求の範囲】
【請求項１】
内部に形成されたガス通路を通じて供給される燃焼ガスを燃焼させることにより加熱対象物を加熱するガスバーナ本体と、
前記ガスバーナ本体の立ち消えを検出するためのサーモカップルと、
前記ガスバーナ本体に取り付けられると共に、立ち消え検出用の炎口から前記ガスバーナ本体側から分岐した燃焼ガスを噴出して前記サーモカップルを加熱する補助ガスバーナと、
前記サーモカップルの非加熱状態に対応して前記ガスバーナ本体に対する燃焼ガスの供給を遮断する電磁式の安全弁を備えたガスコック装置とを備え、
前記補助ガスバーナを前記ガスバーナ本体とは別部材としたことを特徴とする加熱調理器。
【請求項２】
前記補助ガスバーナに形成される前記立ち消え検出用の炎口は、スリット形状であることを特徴とする請求項１に記載の加熱調理器。
【発明の詳細な説明】
【技術分野】
【０００１】
本発明は、加熱調理器に関する。
【背景技術】
【０００２】
ガスコンロなど加熱調整器の安全機能に立ち消え安全装置がある。立ち消え安全装置はバーナ本体から噴出される火炎を炎検知器で検出し、火炎の立ち消えに応答してガス供給を遮断するものである。係る立ち消え安全装置の炎検知器には、サーモカップル方式がある。
【先行技術文献】
【特許文献】
【０００３】
【特許文献１】特開２００３−２８４２８号公報
【発明の概要】
【発明が解決しようとする課題】
【０００４】
サーモカップル(熱電対）は温度が高くなり過ぎると寿命が短くなることから、火力を強火にしたときに、火炎に深く入り過ぎないように、火炎からある程度距離を空けて配置する必要がある。しかしサーモカップルを火炎から遠ざけすぎると、弱火にしたときに火炎から離れてしまい、検出精度が低下する。
【０００５】
検出精度の低下を防止するには、火力の強弱に拘わらず、サーモカップルに当たる火炎が一定になればよい。これを果たすには、バーナ本体に対して、立ち消え検出を目的とした専用の炎口を形成することが考えられる。しかし、そうした炎口は、通常の炎口のような円形状ではないことから、これをバーナ本体に形成することは、加工性が極めて悪く、現実的でなかった。
本発明は上記のような事情に基づいて完成されたものであって、立ち消え検出用の炎口の加工を容易にすることを目的とする。
【課題を解決するための手段】
【０００６】
本発明は、内部に形成されたガス通路を通じて供給される燃焼ガスを燃焼させることにより加熱対象物を加熱するガスバーナ本体と、前記ガスバーナ本体の立ち消えを検出するためのサーモカップルと、前記ガスバーナ本体に取り付けられると共に、立ち消え検出用の炎口から前記ガスバーナ本体側から分岐した燃焼ガスを噴出して前記サーモカップルを加熱する補助ガスバーナと、前記サーモカップルの非加熱状態に対応して前記ガスバーナ本体に対する燃焼ガスの供給を遮断する電磁式の安全弁を備えたガスコック装置とを備え、前記補助ガスバーナを前記ガスバーナ本体とは別部材とした。尚、「立ち消え」とは、燃焼ガスを供給する主弁が開放しているにもかかわらず、火炎が消えている状態を意味する。
【０００７】
この発明では、補助ガスバーナを、ガスバーナ本体に対して別部材にしたことから、立ち消え検出用の炎口をガスバーナ本体に直接形成する場合に比べて、加工が容易でありかつ、精度よく加工が可能である。尚、補助ガスバーナと同じ機能を満足させるにバーナ本体を加工するには、入り組んだ構造上特殊な加工機械（マシニングセンターなど）の必要性があり、また、ベースが鉄鋳物のため製造精度が悪く安定した炎口深さがコントロールできないため安定した炎が得られ難い。
【０００８】
この発明の実施対応として次の構成にすることが好ましい。
・前記立ち消え検出用の炎口をスリット形状とする。スリット形状であれば、ガスバーナ本体側の火力が強弱しても、それほど火力が強弱しない。そのため、ガスバーナ本体側の火力が強弱しても、サーモカップルに当たる火炎をほぼ一定にできる。
【発明の効果】
【０００９】
本発明によれば、立ち消え検出用の炎口を容易に加工できる。
【図面の簡単な説明】
【００１０】
【図１】本発明の実施形態１において、ガスコンロの内部構造を示す断面図
【図２】ガスコンロの斜視図（二重バーナなどの主要部品のみ示す）
【図３】図２の平面図
【図４】補助ガスバーナの斜視図
【図５】図２のＢ部を拡大した図
【図６】図１のＡ部を拡大した図
【図７】安全弁の断面図（作動原理を示す図）
【図８】ガスコンロのブロック図
【図９】効果を説明する図
【図１０】本発明の実施形態２において、ガスコンロの斜視図
【図１１】ガスコンロの正面図
【図１２】補助ガスバーナの斜視図
【発明を実施するための形態】
【００１１】
＜実施形態１＞
本発明の実施形態１を図１ないし図９によって説明する。
１．構造説明
図１はガスコンロ１０の断面図、図２はガスコンロ１０の斜視図、図３はガスコンロ１０の平面図である。ガスコンロ（本発明の「加熱調理器」の一例）１０は、ガスバーナ本体３０と、混合管３７、４７と、点火バーナ５０と、サーモカップル７０と、ガスコック装置８０と、これらを収容するコンロ本体２０とを備えてなる。尚、以下の説明において、正面とは、ユーザの操作面側（ガスコック装置８０の設置側（図１の左側））を指すものとする。
【００１２】
コンロ本体２０は例えばステンレス製であって、図１に示すように概ね箱型をしている。コンロ本体２０の中央は開口しており、そこにガスバーナ本体３０を収めている。
【００１３】
ガスバーナ本体３０は鉄鋳物であり、内側ガスバーナ３１と、内側ガスバーナ３１の外側に配置され内側ガスバーナ３１より一回り大きな外側ガスバーナ４１とを備えた二重ガスバーナ３０となっている。内側ガスバーナ３１と外側ガスバーナ４１は共に中空状であり、内部は中空のガス通路Ｐ１となっている。内側ガスバーナ３１と外側ガスバーナ４１の上部には、全周に渡って炎口Ｈが一定の間隔で複数個形成されている。これら各炎口Ｈは各ガスバーナの壁面を貫通しており、ガス通路Ｐ１に連通している。
【００１４】
また、図２に示すように内側ガスバーナ３１は、全体が閉じた円環形状をしているのに対して、外側ガスバーナ４１は、全体がＣ字型をしていて、正面側を大きく切り欠いた形状をしている。これは、内側ガスバーナ３１の前側にサーモカップル（詳細は後述する）７０を配置していて、サーモカップル７０やそれを固定するブラケットＢＫ２を逃がす必要があるからである。
【００１５】
また、外側ガスバーナ４１の上面部であって、外側ガスバーナ４１の正面寄りの位置には、ガスバーナ下方に切れ込むようにして線状のスリット４３が形成されている。このスリット４３は、内側ガスバーナ３１の正面に取り付けられた補助ガスバーナ（詳細は後述する）６１に向かって斜めに延びている。スリット４３は、補助ガスバーナ６１を中継しつつ、外側ガスバーナ４１から内側ガスバーナ３１へ口火を火移りさせるものである。
【００１６】
ガスバーナ本体３０の下方には、コンロ本体２０の奥行方向に、混合管３７、４７が一対平行に配置されている。混合管３７、４７は燃料ガス及び一次空気の混合気体を、内側ガスバーナ３１、外側ガスバーナ４１に対して導入するものである。この実施形態では、図３に示す左側の混合管４７が外側ガスバーナ４１用、右側の混合管３７が内側ガスバーナ３１用となっており、各管の終端が各ガスバーナの底面に対して連結されている。
【００１７】
また、コンロ本体２０の内部には、金属ベース２５が取り付けられている。金属ベース２５は図２、図３に示すように断面コ字型をしており、混合管３７、４７の前側と後側に一対設けられている。金属ベース２５Ｆ、２５Ｒは混合管３７、４７に交差しつつ平行に延びており、コンロ本体２０内に収容された混合管３７、４７及びその上側に配置されたガスバーナ本体３０を支持している。
【００１８】
点火バーナ５０は、図２に示すように、前側の金属ベース２５Ｆ上において混合管４７の脇にあたる位置にブラケットＢＫ１を介して取り付けられている。点火バーナ５０は、ガスバーナ先端に形成されたガス噴射口を外側ガスバーナ４１に向けつつ斜め横向きに固定してある。また、ブラケットＢＫ１には、点火バーナ５０と共に点火プラグ５３が固定してある。点火プラグ５３はイグナイタ５５（昇圧装置）から高電圧を受けてスパークし、点火バーナ５０を着火させる機能を果たす。
【００１９】
次に補助ガスバーナ６１について説明する。補助ガスバーナ６１は例えば真鍮製であって、内側ガスバーナ３１とは別部材（すなわち、別部品）からなり、概ねブロック型をなす。補助ガスバーナ６１の内部にはガス通路Ｐ２が形成されると共に、外周壁にはガス通路Ｐ２に連通する複数の炎口が形成されている。具体的に説明すると、図４に示すように、補助ガスバーナ６１の正面壁には、炎口６３と炎口６４の２つの炎口が上下に形成されている。炎口６３は水平方向に延びるスリット型をしており、正面壁を左右に貫通していている。また、炎口６４は円形をしている。正面壁に形成されたこれら２つの炎口６３、６４は、後に説明するサーモカップル７０を炙ることを目的とした立ち消え検出用の炎口である。尚、「立ち消え」とは燃焼ガスを供給する主弁８７が開放しているにもかからず、ガスバーナ本体３０の火炎が消えている状態を意味する。
【００２０】
また、補助ガスバーナ６１の左右の側面壁には、炎口６５Ａ、６５Ｂが形成されている。側面壁に形成された炎口６５Ａ、６５Ｂは、いずれも円形をしている。これら２つの炎口６５Ａ、６５Ｂは、外側ガスバーナ４１から内側ガスバーナ３１への火移り用である。
【００２１】
そして、補助ガスバーナ６１の後面壁側には筒型の取り付け部６８が形成されている。一方、内側ガスバーナ３１の外周壁の正面側には取り付け孔が開口している。この取り付け孔は、内側ガスバーナ３１の外周壁を貫通している。取り付け部６５の外周と取り付け孔の内周にはそれぞれ螺子が切ってあり、取り付け部６５を取り付け孔に螺合させることで、図５に示すように、内側ガスバーナの外周壁の正面側に補助ガスバーナ６１が取り付けられている。
【００２２】
そして、取り付け部６５の内部は空洞状になっていて、図６に示すように、補助ガスバーナ６１の内部に形成されたガス通路Ｐ２に連通していることから、内側ガスバーナ３１側から補助ガスバーナ６１側に燃焼ガスを供給して、各炎口６３、６４、６５Ａ、６５Ｂに火炎を灯すことが出来る。
【００２３】
尚、補助ガスバーナ６１は、内部にガス通路Ｐ２を上下に形成していることから、図６に示すように、底面壁６９を別部材としており、２部品の構成となっている。
【００２４】
サーモカップル（熱電対）７０は補助ガスバーナ６１の灯す火炎（具体的には、立ち消え検出用の火炎Ｕ）を検出するものであり、図２、図５に示すように、補助ガスバーナ６１の正面となる位置に、ブラケットＢＫ２を介して縦向きに取り付けられている。具体的には、正面側の金属ベース２５Ｆに対して取り付けられている。係るサーモカップル７０は、先端の検出部７３を補助ガスバーナ６１の正面壁に形成された炎口６３の先に臨ませている。以上のことから、補助ガスバーナ６１の炎口６３、６４に火炎Ｕが灯ると、その火炎Ｕが検出部７３を加熱し、サーモカップル７０に熱起電力を発生させる。一方、補助ガスバーナ６１の火炎Ｕが消えた状態では、検出部７３は加熱されず、サーモカップル７０は熱起電力を発生させない。
【００２５】
ガスコック装置８０はコック本体８１、操作手段（以下、操作つまみ）８５、安全弁９０、主弁８７を主体に構成されており、ガスバーナ本体３０の正面側（図２、図３の下側）に配置されている。コック本体８１は概ねボックス型をしている。そして、コック本体８１の上面壁にはガス源に連なるガス取り込み口８２が形成してあり、そこを通じて燃料ガスを内部に取り込む構成となっている。
【００２６】
ガスコック本体８１内には、燃料ガスの供給路が形成してあり安全弁９０と主弁８７が内蔵されている。安全弁９０は主弁８７に対して、その上流側に設けられている。安全弁９０は、図７に示すように、ガイド板９１と、弁軸９３を固定した弁体９２と、電磁石９８と備えている。弁体９２の弁軸９３は、ガイド板９１に形成されたガイド孔をスライド可能に貫通しており、弁体９２は図中の左右方向に移動可能となっている。また、弁軸９３にはコイルばね９４が巻回されると共に、弁軸９３の後端には鉄片９５が固定されている。そして、鉄片９５には、これに向かい合うようにして電磁石９８が配置してある。
【００２７】
係る電磁石９８のコイル線９９は、サーモカップル７０に結線してある。以上のことから、サーモカップル７０が補助ガスバーナ６１の火炎を検出して熱起電力を発生させると、電磁石９８が励磁される結果、鉄片９５を吸引して弁体９２を図中の左側に引き込む。これにより、図中左側に弁体９２が後退して、燃料ガスの供給路Ｕを開放（「開動作」）する構成となっている。その一方、補助ガスバーナ６１が立ち消えした状態では、サーモカップル７０に熱起電力が発生せず、この場合、弁体９２はコイルばね９４の付勢力により図中の右側に押し込まれ、燃料ガスの供給路Ｕを閉止する（「閉動作」）。これにて、次に説明する主弁８７及びその下流側にある各ガスバーナ３０、５０に対する燃料ガスの供給が一斉にストップする構成となっている。
【００２８】
また、図７に示す符号８６はプッシュロッド８６である。プッシュロッド８６は操作つまみ８５と連動しており、点火作業を行うべく操作つまみ８５を押すと、プッシュロッド８６を通じて後退方向に弁体９２が押されて燃料ガスの供給路Ｕを開放させる仕組みになっている。
【００２９】
主弁８７は安全弁９０の下流側に設けられている。この主弁８７の下流側で燃料ガスの供給路Ｕは２分岐しており、各ガス出口がガス配管１００を介してガスバーナ本体３０に連なり、又ガスチューブ１１０を介して点火バーナ５０に連なっている。尚、ガス管１００は内部で２分岐しており、分岐先の一方端１０３を内側ガスバーナ３１の混合管３７に接続し、他方端１０５を外側ガスバーナ４１の混合管４７に接続させている（図３参照）。そして、操作つまみ８５を回すと、主弁８７が開いて燃料ガスがガスバーナ本体３０、点火バーナ５０に取り込まれる構成となっている。
【００３０】
そして、上記のように構成されたガスコンロ１０のコンロ本体２０にはガスバーナ本体３０の上側に位置して五徳２７が載せてあり、その上に鍋などの調理器具を置いて加熱調理を行うことができるようになっている。また、五徳２７の下方には、汁受け２８が設置してあり、ガスコック装置８０などに吹きこぼれなどが掛からないような構成になっている。
【００３１】
２．ガスコンロ１０の点火動作
ガスコンロ１０を点火するには、操作つまみ８５を操作（押しながら回転）してやればよい。すると、プッシュロッド８６に押されて安全弁９０が開く。また安全弁９０と共に主弁８７が開く。そのため、ガスバーナ本体３０、点火バーナ５０に対してガス源を通じて燃料ガスが取り込まれ、ガスバーナ本体３０に形成された各炎口Ｈ及びパイロットガスバーナ５０のガス噴出口から混合気体（燃料ガスと一次空気を混合させたもの）が噴出される。
【００３２】
一方、操作つまみ８５が操作されると、イグナイタ５５（昇圧装置）が作動して点火プラグ５３をスパークさせる。これにより、点火バーナ５０は着火する。その後は、点火バーナ５０の火炎が、図３に示すように、外側ガスバーナ４１の一部の炎口Ｈに火移りする。
【００３３】
すると、その火は、外側ガスバーナ４１の外周に沿って順々に火移りして、各炎口Ｈに火炎を付けてゆく。また、スリット４３を介して内側ガスバーナ３１の正面に取り付けられた補助ガスバーナ６１の炎口６５へも火移りする。
【００３４】
補助ガスバーナ６１に火移りすると、補助ガスバーナ６１を経由して内側ガスバーナ３１側に火移りする。そのため、以降、内側ガスバーナ３１の外周に形成された各炎口Ｈに順々に火移りしてゆく。そして、外側ガスバーナ４１と内側ガスバーナ３１の双方とも火移りが一周して、全ての炎口Ｈに火が付くと一連の点火動作は完了する。
【００３５】
また、補助ガスバーナ６１に火移りすると、正面に設けられた炎口６３、６４に形成された火炎が、サーモカップル７０の検出部７３を加熱するので、サーモカップル７０は熱起電力を発生させる。従って、その後、電磁石９８は励磁された状態を維持する。そのため、弁体９２は図７の左方向に引き込まれた状態を維持し、安全弁９０は燃料ガスの供給路Ｕを開放し続ける。
【００３６】
３．補助ガスバーナ６１とサーモカップル７０の働き
加熱調理中にガスコンロ１０の立ち消えが発生した場合（例えば、鍋からの吹きこぼれによりガスバーナ本体３０と補助ガスバーナ６１の火炎が消えた場合）、サーモカップル７０は非加熱状態となり、熱起電力を発生させない。そのため、安全弁９０が働いて、図７の（ａ）に示すように弁体９２が燃料ガスの供給路Ｕを閉じる。以上のことから、ガスコンロ１０が立ち消えを起こしたときには、ガスバーナ本体３０に対する燃料ガスの供給を自動的にストップできる。
【００３７】
４．効果説明
本ガスコンロ１０では、立ち消え検出用の炎口６３をスリット形状にした。スリット形状の炎口６３からは燃焼ガスが放射状に広がりながら噴出することから、図９に示すように、立ち消え検出用の火炎Ｕは、放射状に広がった形状となる。放射状に広がる火炎Ｕは、ガスバーナ本体３０側の火力を強弱するべく燃焼ガスの供給量を増減させても、広がりが変わるだけで火力がそれほど変化しない。そのため、ガスバーナ本体３０側の火力の強弱に拘わらず、サーモカップル７０に当たる火炎（火力の強さ）を一定にすることが出来る。
【００３８】
そのため、サーモカップル７０が過度の加熱を受けないので、サーモカップル７０の寿命を長くすることが可能となる。また、サーモカップル７０に当たる火炎を一定（火力の強さ）にすることができ、更に、サーモカップル７０と補助ガスバーナ６１の相対的な位置関係が図９の左右方向や上下方向で多少ずれたとしても、火炎Ｕからサーモカップル７０が外れない。そのため、ガスコンロ１０の立ち消えを高精度に検出することが可能となる。
【００３９】
尚、本実施形態では、立ち消え検出用の炎口に、スリット型の炎口６３に加えて、その下方に円形の炎口６４を設けているが、これは、スリット型炎口に加えて燃焼を安定させる補助炎を形成するための補助炎口であり、お互いに重なりあい燃焼することより炎の浮きなどを防止できる。
【００４０】
また、本ガスコンロ１０では、補助ガスバーナ６１を内側ガスバーナ３１に対して別部材にしたことから、立ち消え検出用の炎口６３を内側ガスバーナ３１に直接形成する場合に比べて、加工性がよい。
【００４１】
＜実施形態２＞
本発明の実施形態２を図１０ないし図１２によって説明する。
実施形態１では、ガスコンロ１０の一例として、ガスバーナを二重に設けた二重タイプのガスコンロを例示した。実施形態２のガスコンロ２００は、ガスバーナをシングルタイプにしたものである。ガスコンロ２００の構成は、ガスバーナが１重である点を除いて基本構成は実施形態１のガスコンロ１０と同じであり、ガスバーナ本体２１０と、混合管２３７と、点火バーナ（図略）と、次に説明する補助ガスバーナ２６１と、サーモカップル７０と、ガスコック装置（図略）と、これらを収容するコンロ本体（図略）とを備えてなる。
【００４２】
補助ガスバーナ２６１は、実施形態１の補助ガスバーナ６１と同様に、立ち消え検出用のものであり、ガスバーナ本体２１０とは別部材から構成されている。
【００４３】
補助ガスバーナ２６１は、例えば真鍮製であって、図１２に示すように、概ねブロック型をなす。補助ガスバーナ２６１は、正面壁にスリット型の炎口２６３を形成している。スリット型の炎口２６３は、水平方向に延びており、正面壁を左右に貫通している。そして、補助ガスバーナ２６１の内部には、炎口２６３が連通するガス通路（図略）が形成されている。また、補助ガスバーナ２６１の側面壁には筒型の取り付け部２６８が形成されている。尚、補助ガスバーナ２６１の奥壁（正面壁の逆側の壁）２６９は、ガス通路を加工する関係から別部材とっている。
【００４４】
図１０、図１１に示すように、補助ガスバーナ２６１は、取り付け部２６８を介して、ガスバーナ本体２１０の外周壁の側面側に取り付けられていて、ガスバーナ本体２１０側から燃焼ガスの供給を受けて炎口２６３に火炎を灯す構成となっている。そして、補助ガスバーナ２６１の正面には、ブラケットＢＫ２を介してサーモカップル７０が縦向き取り付けられていて、炎口２６３からの火炎Ｕにより、サーモカップル先端の検出部７３を加熱する。
【００４５】
このようにガスコンロ２００は、実施形態１と同様に、立ち消え検出用の炎口２６３をスリット形状にした。スリット形状の炎口２６３からは燃焼ガスが放射状に噴出することから、図１０に示すように火炎Ｕは、放射状に広がった形状となる。放射状に広がる火炎Ｕは、ガスバーナ本体２１０側の火力を強弱するべく燃焼ガスの供給量を増減させても、広がりが変わるだけで火力がそれほど変化しない。そのため、ガスバーナ本体２１０側の火力の強弱に拘わらず、サーモカップル７０に当たる火炎（火力の強さ）を一定にすることが出来る。
【００４６】
そのため、サーモカップル７０が過度の加熱を受けないので、サーモカップル７０の寿命を長くすることが可能となる。また、サーモカップル７０に当たる火炎を一定（火力の強さ）にすることができ、更に、サーモカップル７０と補助ガスバーナ２６１の相対的な位置関係が図中の左右方向や上下方向で多少ずれたとしても、火炎からサーモカップル７０が外れない。そのため、ガスコンロ２００の立ち消えを高精度に検出することが可能となる。
【００４７】
また、補助ガスバーナ２６１をガスバーナ本体２１０に対して別部材にしたことから、立ち消え検出用の炎口２６３をガスバーナ本体２１０に直接形成する場合に比べて、加工性がよい。
【００４８】
尚、実施形態２の補助ガスバーナ２６１には、火移り用の炎口を形成していないが、これは、ガスバーナ本体２１０がシングルタイプであるため、２つのバーナ間で火移させる必要がないからである。
【００４９】
また、実施形態１の補助ガスバーナ６１では、スリット型の炎口６３の下方に、補助炎口６４を形成したが、実施形態２の補助ガスバーナ２６１では、補助炎口を廃止している。これは、実施形態２の補助ガスバーナ２６１では火移り用の炎口を形成していないことや、スリット型の炎口２６３のスリット幅が広いため噴出する燃焼ガスの勢いが異なり、そのため、補助炎口がなくても、スリット型の炎口２６３に灯る火炎Ｕが安定するからである。
【００５０】
＜他の実施形態＞
本発明は上記記述及び図面によって説明した実施形態に限定されるものではなく、例えば次のような実施形態も本発明の技術的範囲に含まれる。
【００５１】
（１）上記実施形態１、２では加熱調理器の一例としてガスコンロを例示した。本発明の適用範囲は、ガスコンロに限定されるものではなく、肉などの食材を、ガスバーナで直接加熱調理する焼き物調理器などにも適用することが可能である。
【００５２】
（２）上記実施形態１、２では、ガスバーナ本体に対する補助ガスバーナの取り付け構造として螺子締めを例示したが、それ以外にも、例えばろう付けにより取り付けることが可能である。
【符号の説明】
【００５３】
１０…ガスコンロ（本発明の「加熱調理器」の一例）
２０…コンロ本体
３０…ガスバーナ本体
３１…内側ガスバーナ
４１…外側ガスバーナ
６１…補助ガスバーナ
６３…立ち消え検出用の炎口
７０…サーモカップル
８０…ガスコック装置
９０…安全弁
Ｐ１、Ｐ２…ガス通路
【図１】
2013079750.tif 000003
【図２】
2013079750.tif 000004
【図３】
2013079750.tif 000005
【図４】
2013079750.tif 000006
【図５】
2013079750.tif 000007
【図６】
2013079750.tif 000008
【図７】
2013079750.tif 000009
【図８】
2013079750.tif 000010
【図９】
2013079750.tif 000011
【図１０】
2013079750.tif 000012
【図１１】
2013079750.tif 000013
【図１２】
2013079750.tif 000014